(57)【要約】【課題】ペンダント照明器具１０における光源１１の水平方向の吊り下げ位置を適宜調整できる方法、及びその方法に使用するに好適な光源１１の水平方向の吊り下げ位置の調整用ハンガー部材２０を提供すること。【解決手段】ランプ１１の水平方向の位置を変更する場合、引っ掛けシーリング２２を天井２１に固定しているビス２３を緩め、ハンガー部材２０の薄肉の端部２０ａを引っ掛けシーリング２２と天井２１の間の隙間に挿入する。その際、切り欠き部２０ｂにビス２３が挿通されるように端部２０ａを隙間に挿入し、緩めたビス２３を締め付けて、ビス２３でハンガー部材２０の端部２０ａと引っ掛けシーリング２２を共締めし、引っ掛けシーリング２２及びハンガー部材２０を天井２１に固定する。そして、固定したハンガー部材２０のフック部２０ｅに電気コード１３の中間部を掛止し、フック部２０ｅから電気コード１３でランプ１１を吊り下げる。【選択図】図１
2015133283.tif 000002
【特許請求の範囲】
【請求項１】
一端に光源を設け、他端にプラグを設けた電気コードを備え、天井にビスで固定した引っ掛けシーリング又は引っ掛けローゼット若しくはダクトレールにプラグを連結して光源を天井から吊り下げるペンダント照明器具における光源の吊り下げ位置調整方法であって、
フック部を設けたハンガー部材の端部を天井と引っ掛けシーリング又は引っ掛けローゼット若しくはダクトレールの間に差し込んで固定し、電気コードの中間部をフック部に掛止してフック部から電気コードで光源を吊り下げることを特徴とするペンダント照明器具の光源の吊り下げ位置調整方法。
【請求項２】
一端に光源を設け、他端にプラグを設けた電気コードを備え、天井にビスで固定した引っ掛けシーリング又は引っ掛けローゼット若しくはダクトレールにプラグを連結して光源を天井から吊り下げるペンダント照明器具における光源の吊り下げ位置調整用ハンガーであって、
電気コードの中間部を掛止するためのフック部を設けるとともに、
端部に前記ビスが挿通可能な切り欠き部を形成し、
天井と引っ掛けシーリング又は引っ掛けローゼット若しくはダクトレールの間にハンガー部材の端部を差し込み、前記ビスを前記切り欠き部に挿通して該ビスでハンガー部材の端部と引っ掛けシーリングまたは引っ掛けローゼット若しくはダクトレールを共締めできるようにしたことを特徴とするペンダント照明器具における光源の吊り下げ位置調整用ハンガー部材。
【請求項３】
前記切り欠き部を形成した端部からの間隔が異なるように複数個所にフック部を設けたことを特徴とする請求項２に記載のペンダント照明器具における光源の吊り下げ位置調整用ハンガー部材。
【発明の詳細な説明】
【技術分野】
【０００１】
本発明は、ペンダント照明器具における光源の吊り下げ位置調整方法及び光源の吊り下げ位置調整用ハンガー部材に関する。
【背景技術】
【０００２】
ペンダント照明器具は、一端に光源を設け、他端にプラグを設けた強度の大きい電気コードを備え、天井にビスで固定した引っ掛けシーリング、引っ掛けローゼット、ダクトレール等にプラグを連結して光源を天井から吊り下げる照明器具である。
このようなペンダント照明器具において、光源の垂直方向の吊り下げ位置を調整するため、電気コードの中間部に結び目を作り、あるいは電気コードの中間部分を芯材に巻回したり、コードの巻回部分を筒状のケースに収納して電機コードの吊り下げ長さを変えている。
また、光源の水平方向における吊り下げ位置を調整するため、天井の引っ掛けシーリングや引っ掛けローゼットから離れた位置にフック金具を取り付け、電機コードの中間部をフック金具に掛止し、フック金具から電気コードで光源を吊り下げている。
【先行技術文献】
【特許文献】
【０００３】
【特許文献１】特開２００１−２３６８１５号公報
【特許文献２】特開２００６−２９４３４５号公報
【発明の概要】
【発明が解決しようとする課題】
【０００４】
ところで、電気コードの中間部に結び目を形成したり、中間部を巻回すれば、光源の垂直方向の位置、すなわち天井からの吊り下げ高さを調整することは可能であるが、光源の水平方向の位置は結び目等の有無に拘わらず、天井に固定した引っ掛けシーリングや引っ掛けローゼットの直下になり、変えることはできない。
【０００５】
一方、天井にフック金具を固定し、フック金具に電気コードの中間部を掛止し、フック金具から電気コードで光源を吊り下げれば、光源の水平方向の位置を天井に固定した引っ掛けシーリングや引っ掛けローゼットの直下からフック金具の直下へ変えることができる。
しかし、アパートやマンションでは天井にフック金具を取り付けることが入居規約上、あるいは天井の材質上できないことがあり、その場合、フック金具で光源の水平方向の位置を変えることができない。
【０００６】
また、天井に固定したダクトレールにプラグを連結し、ダクトレールから電気コードで光源を吊り下げるペンダント照明器具では、プラグをダクトレールに沿って水平方向へ移動させることができるので、光源の水平方向の吊り下げ位置を調整できる。
しかし、この場合でも、あくまでダクトレールに沿って水平方向に調整できるだけであり、ダクトレールと交差する方向に光源の吊り下げ位置を調整することはできない。
【０００７】
本発明は上記問題点に鑑み、ペンダント照明器具における光源の水平方向の吊り下げ位置を適宜調整できる方法、及びその方法に使用するに好適な光源の水平方向の吊り下げ位置の調整用ハンガー部材を提供することを目的とする。
【課題を解決するための手段】
【０００８】
請求項１に記載の発明は、一端に光源を設け、他端にプラグを設けた電気コードを備え、天井にビスで固定した引っ掛けシーリング又は引っ掛けローゼット若しくはダクトレールにプラグを連結して光源を天井から吊り下げるペンダント照明器具における光源の吊り下げ位置調整方法であって、
フック部を設けたハンガー部材の端部を天井と引っ掛けシーリング又は引っ掛けローゼット若しくはダクトレールの間に差し込んで固定し、電気コードの中間部をフック部に掛止してフック部から電気コードで光源を吊り下げることを特徴とする。
【０００９】
請求項２に記載の発明は、一端に光源を設け、他端にプラグを設けた電気コードを備え、天井にビスで固定した引っ掛けシーリング又は引っ掛けローゼット若しくはダクトレールにプラグを連結して光源を天井から吊り下げるペンダント照明器具における光源の吊り下げ位置調整用ハンガーであって、
電気コードの中間部を掛止するためのフック部を設けるとともに、
端部に前記ビスが挿通可能な切り欠き部を形成し、
天井と引っ掛けシーリング又は引っ掛けローゼット若しくはダクトレールの間にハンガー部材の端部を差し込み、前記ビスを前記切り欠き部に挿通して該ビスでハンガー部材の端部と引っ掛けシーリングまたは引っ掛けローゼット若しくはダクトレールを共締めできるようにしたことを特徴とする。
【００１０】
請求項３に記載の発明は、請求項２に記載のペンダント照明器具における光源の吊り下げ位置調整用ハンガー部材において、
前記切り欠き部を形成した端部からの間隔が異なるように複数個所にフック部を設けたことを特徴とする。
【発明の効果】
【００１１】
請求項１に記載の発明によれば、ハンガー部材の端部を天井と引っ掛けシーリング又は引っ掛けローゼット若しくはダクトレールの間に差し込んで固定し、固定したハンガー部材のフック部に電気コードの中間部を掛止し、フック部から電気コードで光源を吊り下げるので、光源の水平方向の位置を引っ掛けシーリング又は引っ掛けローゼット若しくはダクトレールの直下から電気コードを掛止したフック部の直下へ変更できる。
本発明によれば、ハンガー部材の端部を天井と引っ掛けシーリング又は引っ掛けローゼット若しくはダクトレールの間に差し込んで固定するので、天井にフック金具等の別部材を取り付けなくても光源の水平方向の位置を変更できる。そのため、既設のペンダント照明器具の光源の水平方向の位置を適宜変更できる。
【００１２】
請求項２に記載の発明によれば、ビスを切り欠き部に挿通して該ビスでハンガー部材の端部と引っ掛けシーリングまたは引っ掛けローゼット若しくはダクトレールを共締めすることにより、ハンガー部材を天井と引っ掛けシーリング又は引っ掛けローゼット若しくはダクトレールの間に差し込んで確りと固定できる。そのため、フック金具等の別部材を天井に取付けなくても、既設のペンダント照明器具の光源の水平方向の位置を適宜変更できる。
【００１３】
請求項３に記載の発明によれば、電気コードを掛止して光源を吊り下げるフック部をハンガー部材の複数個所に設けたので、光源の水平方向位置を複数個所から選択でき、使い勝手が良くなる。
【図面の簡単な説明】
【００１４】
【図１】本発明の実施例に係るペンダント照明器具におけるランプの吊り下げ位置調整方法及び同方法に用いるハンガー部材を示す説明図である。
【図２】本発明の実施例に係るペンダント照明器具におけるランプの吊り下げ位置調整方法及び同方法に用いるハンガー部材を示す説明図である。
【図３】ペンダント照明器具の角型の引っ掛けシーリングを示す説明図である。
【図４】ペンダント照明器具の丸型の引っ掛けシーリングを示す説明図である。
【図５】ペンダント照明器具のローゼット型の引っ掛けシーリングを示す説明図である。
【図６】ペンダント照明器具のダクトレールを示す説明図である。
【実施例】
【００１５】
以下に本発明を図面に基づき説明する。図１及び図２には本発明の一実施例に係るペンダント照明器具１０におけるランプ１１の吊り下げ位置調整方法及び同方法に用いるハンガー部材２０が示されている。このペンダント照明器具１０は一端にランプ１１を設け、他端にプラグ１２を設けた電気コード１３を備えている。ランプ１１は天井２１に固定されている角型の引っ掛けシーリング２２にプラグ１２を連結することにより、電気コード１３で天井２１から吊り下げられる。電気コード１３はランプ１１を天井２１から吊り下げたとき、ランプ１１の重量に耐えることのできる強度を備えている。
【００１６】
プラグ１２は図２に示すように、一対の引っ掛け刃１２ａを備え、引っ掛け刃１２ａの先端がプラグ１２の反電気コード側の端面から外部に突出している。図３に示すように、引っ掛けシーリング２２の底面にはプラグ１２の引っ掛け刃１２ａが着脱可能に係合する一対の引っ掛け溝２２ａと天井に引っ掛けシーリング２２を固定するためのビス２３が挿通される一対の通孔２２ｂが形成されている。プラグ１２は引っ掛け刃１２ａを引っ掛けシーリング２２の引っ掛け溝２２ａに係合させることにより引っ掛けシーリング２２に着脱可能に連結される。
【００１７】
ハンガー部材２０は金属、木製若しくはプラスチック製で枝状に成形されている。ハンガー部材２０の一端２０ａは薄肉に成形され、薄肉の端部２０ａには引っ掛けシーリング２２を天井２１に固定している一対のビス２３が挿通可能な切り欠き部２０ｂが形成されている。薄肉の端部２０ａから延びる中間部２０ｃは薄肉の端部２０ａから若干下方に屈曲している。また、中間部２０ｃには２箇所にフック部２０ｄ，２０ｅが形成されている。また、ハンガー部材２０の他端部にもフック部２０ｆが形成されている。
【００１８】
ペンダント照明器具１０及びハンガー部材２０の構成は以上の通りであって、ランプ１１の水平方向の位置を変更するには引っ掛けシーリング２２を天井２１に固定しているビス２３を緩め、ハンガー部材２０の薄肉の端部２０ａを引っ掛けシーリング２２と天井２１の間の隙間に挿入する。その際、切り欠き部２０ｂにビス２３が挿通されるように端部２０ａを隙間に挿入し、緩めたビス２３を締め付けて、ビス２３でハンガー部材２０の端部２０ａと引っ掛けシーリング２２を共締めし、引っ掛けシーリング２２及びハンガー部材２０を天井２１に固定する。そして、固定したハンガー部材２０のフック部２０ｅに電気コード１３の中間部を掛止し、フック部２０ｅから電気コード１３でランプ１１を吊り下げる。
【００１９】
本実施例によれば、ハンガー部材２０の端部２０ａを天井２１と引っ掛けシーリング２２の間に差し込んで固定し、固定したハンガー部材２０のフック部２０ｅに電気コード１３の中間部を掛止し、フック部２０ｅから電気コード１３でランプ１１を吊り下げるので、ランプ１１の水平方向の位置を引っ掛けシーリング２２の直下から電気コード１３を掛止したフック部２０ｅの直下へ変更できる。
【００２０】
ハンガー部材２０の端部２０ａを天井２１と引っ掛けシーリング２２の間に差し込んで固定するので、天井２１にフック金具等の別部材を取り付けなくてもランプ１１の水平方向の位置を変更できる。そのため、既設のペンダント照明器具１０のランプ１１の水平方向の位置を適宜変更できる。
【００２１】
ビス２３を切り欠き部２０ｂに挿通して該ビス２３でハンガー部材２０の端部２０ａと引っ掛けシーリング２２を共締めするので、ハンガー部材２０を天井２１と引っ掛けシーリング２２の間に確りと固定できる。
【００２２】
また、電気コード１３を掛止してランプ１１を吊り下げるフック部２０ｄ，２０ｅ，２０ｆをハンガー部材２０の複数個所に設けたので、ランプ１１の水平方向位置を複数個所から選択でき、使い勝手が良くなる。
【００２３】
上記実施例では天井２１に固定した角型の引っ掛けシーリング２２から電気コード１３でランプ１１を吊り下げるペンダント照明器具１０におけるランプ１１の水平方向の位置をハンガー部材２０で適宜変更する方法について説明したが、このハンガー部材２０は、図４に示す丸型の引っ掛けシーリング２４や図５に示すローゼット型シーリング２５からランプ１１を電気コード１３で吊り下げる場合にランプ１１の水平位置を変更するにも用いることができる。丸型の引っ掛けシーリング２４やローゼット型の引っ掛けシーリング２５のいずれにもそれぞれ、それらを天井２１に固定するためのビス２３を挿通する通孔２４ｂ，２５ｂと、プラグ１２の引っ掛け刃１２ａが係合する引っ掛け溝２４ａ，２５ａが設けられている。丸型の引っ掛けシーリング２４やローゼット型の引っ掛けシーリング２５でも実施例と同様にビス２３でハンガー部材２０の端部２０ａを共締めして天井２１に固定できる。
【００２４】
さらにまた、ハンガー部材２０は図６に示すように、ダクトレール２６から電気コード１３で吊り下げられたランプ１４の水平位置を変更する場合にも用いることができる。この照明器具の場合、ビス２３でダクトレール２６が天井に固定されている。そして、ダクトレール２６の直線溝２６ａにプラグ２７が摺動可能に連結されている。ランプ１４の水平方向における吊り下げ位置はダクトレール２６の直線溝２６ａに沿って移動させることができるが、このままではダクトレール２６と交差する方向に変更することはできない。ダクトレール２６と交差する方向に変更するには、ビス２３を緩め、ダクトレール２６と天井２１の隙間にハンガー部材２０の端部２０ａを差し込み、ビス２３でダクトレール２６とハンガー部材２０の端部２０ａを共締めしてハンガー部材２０を天井２１に固定する。そして、ハンガー部材２０のフック部２０ｄ，２０ｅ，２０ｆに電気コード１３の中間部を掛止する。これによりランプ１４の水平方向における吊り下げ位置がフック部２０ｄ，２０ｅ，２０ｆの直下へと変更される。
【符号の説明】
【００２５】
１０…ペンダント照明器具
１１，１４…ランプ
１２…プラグ
１３…電気コード
２０…ハンガー部材
２０ａ…端部
２０ｂ…切り欠き部
２０ｄ，２０ｅ，２０ｆ…フック部
２１…天井
２２，２４，２５…引っ掛けシーリング
２３…ビス
２６…ダクトレール
２７…プラグ
【図１】
2015133283.tif 000003
【図２】
2015133283.tif 000004
【図３】
2015133283.tif 000005
【図４】
2015133283.tif 000006
【図５】
2015133283.tif 000007
【図６】
2015133283.tif 000008